(57)【要約】【課題】反発力を抑えるためのネジ締めが不要なシーリング構造を有する筐体を提供する。【解決手段】筐体１００は、側面が閉じた凹部１２０を含む第１の部材１０２と、凹部１２０に嵌め込まれる形状を有し、凹部１２０に嵌め込まれる場合に凹部１２０の内周面１２２に対向する外周面１４２を有する嵌め込み部１４０を含む第２の部材１０４と、弾性を有し嵌め込み部１４０の外周面１４２に嵌め込み部１４０を囲むように装着される環状のパッキン１０６と、を含み、嵌め込み部１４０が凹部１２０に嵌め込まれた場合、パッキン１０６は凹部１２０の内周面１２２により押圧される。【選択図】図３
2010196802.tif 000002
【特許請求の範囲】
【請求項１】
側面が閉じた凹部を含む第１の部材と、
前記凹部に嵌め込まれる形状を有し、前記凹部に嵌め込まれる場合に前記凹部の内周面に対向する外周面を有する嵌め込み部を含む第２の部材と、
弾性を有し前記嵌め込み部の外周面に前記嵌め込み部を囲むように装着される環状のパッキンと、を含み、
前記嵌め込み部が前記凹部に嵌め込まれた場合、前記パッキンは前記凹部の内周面により押圧される、
ことを特徴とする筐体。
【請求項２】
請求項１に記載の筐体において、
前記パッキンは、前記嵌め込み部の嵌め込み方向に沿って、該パッキンの環状形状の全周に渡って前記嵌め込み部の外周面に密着する密着部と、前記嵌め込み部が前記凹部に嵌め込まれる際に前記凹部の内周面により変形されるよう前記全周に渡って前記嵌め込み部の外周面から離れる方向に湾曲する湾曲部と、を含み、
前記嵌め込み部が前記凹部に嵌め込まれた場合、前記湾曲部が前記嵌め込み方向に対し逆方向に折り返された形状を有し、前記湾曲部と、前記密着部と、が接する、
ことを特徴とする筐体。
【請求項３】
請求項２に記載の筐体において、
前記嵌め込み部が前記凹部に嵌め込まれた状態で互いに対向する、前記湾曲部の表面である湾曲部表面と、前記密着部の表面である密着部表面と、の少なくとも一方が前記全周に渡って突起部を含む、
ことを特徴とする筐体。
【請求項４】
請求項３に記載の筐体において、
前記密着部表面は突起部を含み、前記突起部と、前記湾曲部表面と、は対向しないことを特徴とする筐体。
【請求項５】
請求項１から４のいずれかに記載の筐体において、
前記パッキンは樹脂材料からなることを特徴とする筐体。
【請求項６】
側面が閉じた凹部を含む第１の部材と、
前記凹部に嵌め込まれる形状を有し、前記凹部に嵌め込まれる場合に前記凹部の内周面に対向する外周面を有する嵌め込み部を含む第２の部材と、の間に設けられる弾性を有するパッキンであって、
前記嵌め込み部の外周面に前記嵌め込み部を囲むように装着される環状の形状を有し、
前記嵌め込み部が前記凹部に嵌め込まれた場合、前記凹部の内周面により押圧される、
ことを特徴とするパッキン。
【請求項７】
側面が閉じた凹部を含む第１の部材と、
前記凹部に嵌め込まれる形状を有し、前記凹部に嵌め込まれる場合に前記凹部の内周面に対向する外周面を有する嵌め込み部を含む第２の部材と、の間のシーリング構造であって、
弾性を有し前記嵌め込み部の外周面に前記嵌め込み部を囲むように装着される環状のパッキンを含み、
前記嵌め込み部が前記凹部に嵌め込まれた場合、前記パッキンは前記凹部の内周面により押圧される、
ことを特徴とするシーリング構造。
【請求項８】
側面が閉じた凹部を含む第１の部材と、
前記凹部に嵌め込まれる形状を有し、前記凹部に嵌め込まれる場合に前記凹部の内周面に対向する外周面を有する嵌め込み部を含む第２の部材と、
弾性を有し前記嵌め込み部の外周面に前記嵌め込み部を囲むように装着される環状のパッキンと、を含み、
前記嵌め込み部が前記凹部に嵌め込まれた場合、前記パッキンは前記凹部の内周面により押圧される、
ことを特徴とする無線通信装置。
【発明の詳細な説明】
【技術分野】
【０００１】
本発明は、筐体、パッキン、シーリング構造および無線通信装置に関する。
【背景技術】
【０００２】
屋外に設置される基地局装置等の電子装置では、防水・防塵のために目地にシーリング構造が設けた筐体が用いられる。オーリングを用いるシーリング構造では、該オーリングを一定量潰して気密性を維持しており、該オーリングによる反発力は筐体のネジ締めにより吸収されている。
【０００３】
シーリング構造におけるガスケットの一例として、特許文献１には被シール部位の凹部に嵌入される係止突起を有するガスケットが開示されている。凹部は同一内径部、同一内径部より小径の開口、および開口から末広がりに大きくなる傾斜内面を有しており、ガスケットは係止突起により被シール部位に固定される。
【先行技術文献】
【特許文献】
【０００４】
【特許文献１】特開２００４−６８９９８号公報
【発明の概要】
【発明が解決しようとする課題】
【０００５】
ネジ締めを行うスペースが確保できない小型の筐体やネジの軸力に耐えうる強度を有しない樹脂製の筐体では、ネジ締めができない。
【０００６】
本発明は上記の課題に鑑みてなされたものであり、反発力を抑えるためのネジ締めが不要なシーリング構造を有する筐体を提供することを目的とする。
【課題を解決するための手段】
【０００７】
本発明に係る筐体は、側面が閉じた凹部を含む第１の部材と、前記凹部に嵌め込まれる形状を有し、前記凹部に嵌め込まれる場合に前記凹部の内周面に対向する外周面を有する嵌め込み部を含む第２の部材と、弾性を有し前記嵌め込み部の外周面に前記嵌め込み部を囲むように装着される環状のパッキンと、を含み、前記嵌め込み部が前記凹部に嵌め込まれた場合、前記パッキンは前記凹部の内周面により押圧される。
【０００８】
本発明によれば、パッキンの反発力は凹部の内周面に対し、嵌め込み部の外周面から凹部の内周面に向かう方向に作用するためパッキンの反発力によって嵌め込み部が凹部から外れることがなく、ネジ締めが不要な筐体が実現される。
【０００９】
本発明に係る筐体において、前記パッキンは、前記嵌め込み部の嵌め込み方向に沿って、該パッキンの環状形状の全周に渡って前記嵌め込み部の外周面に密着する密着部と、前記嵌め込み部が前記凹部に嵌め込まれる際に前記凹部の内周面により変形されるよう前記全周に渡って前記嵌め込み部の外周面から離れる方向に湾曲する湾曲部と、を含み、前記嵌め込み部が前記凹部に嵌め込まれた場合、前記湾曲部が前記嵌め込み方向に対し逆方向に折り返された形状を有し、前記湾曲部と、前記密着部と、が接する。
【００１０】
本発明によれば、湾曲部と密着部とが凹部の内周面により押圧されるため、パッキンの潰される量（潰し量）が増え、パッキンによる反発力が増し、パッキンと、凹部の内周面と、がより確実に密着する。また、嵌め込み部の嵌め込み動作によって湾曲部が嵌め込み方向に変形されるため、嵌め込み動作においてパッキンからの嵌め込み動作に対する抵抗も少ない。さらに、湾曲部は嵌め込み部に従った形状になるため密着状態が確実に実現される。
【００１１】
本発明に係る筐体において、前記嵌め込み部が前記凹部に嵌め込まれた状態で互いに対向する、前記湾曲部の表面である湾曲部表面と、前記密着部の表面である密着部表面と、の少なくとも一方が前記全周に渡って突起部を含む。
【００１２】
本発明によれば、湾曲部および密着部に加えて、突起部も凹部の内周面により押圧されるため、内周面の押圧で潰される潰し量が増加する。従ってパッキンによる反発力が増し、パッキンと、凹部の内周面と、がより確実に密着する。
【００１３】
本発明に係る筐体において、前記密着部表面は突起部を含み、前記突起部と、前記湾曲部表面と、は対向しない。
【００１４】
本発明によれば、パッキンの成型において、パッキンの湾曲部は突起部に覆い被さっていないため、パッキンの外周側からパッキンを成型する金型で突起部も成型され、突起部を有するパッキンが容易に成型される。
【００１５】
本発明に係る筐体において、前記パッキンは樹脂材料からなる。
【００１６】
本発明に係るパッキンは、側面が閉じた凹部を含む第１の部材と、前記凹部に嵌め込まれる形状を有し、前記凹部に嵌め込まれる場合に前記凹部の内周面に対向する外周面を有する嵌め込み部を含む第２の部材と、の間に設けられる弾性を有するパッキンであって、前記嵌め込み部の外周面に前記嵌め込み部を囲むように装着される環状の形状を有し、前記嵌め込み部が前記凹部に嵌め込まれた場合、前記凹部の内周面により押圧される。
【００１７】
本発明によれば、パッキンの反発力は凹部の内周面に対し、嵌め込み部の外周面から凹部の内周面に向かう方向に作用するためパッキンの反発力によって嵌め込み部が凹部から外れることがなく、パッキンの反発力を抑えるネジ締めが不要である。
【００１８】
本発明に係るシーリング構造は、側面が閉じた凹部を含む第１の部材と、前記凹部に嵌め込まれる形状を有し、前記凹部に嵌め込まれる場合に前記凹部の内周面に対向する外周面を有する嵌め込み部を含む第２の部材と、の間のシーリング構造であって、弾性を有し前記嵌め込み部の外周面に前記嵌め込み部を囲むように装着される環状のパッキンを含み、前記嵌め込み部が前記凹部に嵌め込まれた場合、前記パッキンは前記凹部の内周面により押圧される。
【００１９】
本発明によれば、パッキンの反発力は凹部の内周面に対し、嵌め込み部の外周面から凹部の内周面に向かう方向に作用するためパッキンの反発力によって嵌め込み部が凹部から外れることがなく、ネジ締めが不要なシーリング構造が実現される。
【００２０】
本発明に係る無線通信装置は、側面が閉じた凹部を含む第１の部材と、前記凹部に嵌め込まれる形状を有し、前記凹部に嵌め込まれる場合に前記凹部の内周面に対向する外周面を有する嵌め込み部を含む第２の部材と、弾性を有し前記嵌め込み部の外周面に前記嵌め込み部を囲むように装着される環状のパッキンと、を含み、前記嵌め込み部が前記凹部に嵌め込まれた場合、前記パッキンは前記凹部の内周面により押圧される。
【００２１】
本発明によれば、パッキンの反発力は凹部の内周面に対し、嵌め込み部の外周面から凹部の内周面に向かう方向に作用するためパッキンの反発力によって嵌め込み部が凹部から外れることがなく、筐体のネジ締めが不要な無線通信装置が実現される。
【図面の簡単な説明】
【００２２】
【図１】本実施の形態に係る無線通信装置である基地局装置の筐体を示す斜視図である。
【図２】本実施の形態に係る無線通信装置である基地局装置の筐体の構成を示す斜視図である。
【図３】図１におけるＩＩＩ−ＩＩＩ線断面図である。
【図４】パッキンを示す断面図である。
【図５】パッキンおよびパッキンを成型する金型を示す断面図である。
【発明を実施するための形態】
【００２３】
以下、本発明の実施の形態を図面に基づいて説明する。図１は、本実施の形態に係る無線通信装置である基地局装置の筐体１００を示す斜視図である。図２は、本実施の形態に係る無線通信装置である基地局装置の筐体１００の構成を示す斜視図である。図３は、図１におけるＩＩＩ−ＩＩＩ線断面図である。なお、筐体１００の全ての側面が図３と同様の構成を有する。筐体１００は、蓋部（第１の部材）１０２、本体部（第２の部材）１０４、およびパッキン１０６を含む。
【００２４】
本実施の形態では、側面が閉じた凹部１２０を含む蓋部１０２（第１の部材）と、凹部１２０に嵌め込まれる形状を有し、凹部１２０に嵌め込まれる場合に凹部１２０の内周面１２２に対向する外周面１４２を有する嵌め込み部１４０を含む本体部（第２の部材）１０４と、を含み、嵌め込み部１４０の外周面１４２に環状のパッキン１０６が装着される無線通信装置である、基地局装置の筐体１００を示す。パッキン１０６が装着された嵌め込み部１４０が凹部１２０に嵌め込まれた場合、パッキン１０６は凹部１２０の内周面１２２により押圧されることにより筐体１００は密閉される。
【００２５】
そして、パッキン１０６の反発力（元の形状に戻ろうとする力）は凹部１２０の内周面１２２に対し、嵌め込み部１４０の外周面１４２から凹部１２０の内周面１２２に向かう方向（嵌め込み部１４０の嵌め込み方向に対し垂直方向）に作用するためパッキン１０６の反発力によって嵌め込み部１４０が凹部１２０から外れることがなく、パッキン１０６の反発力を抑えるネジ締めが不要である。
【００２６】
蓋部１０２および本体部１０４は、例えばプラスチックからなる。蓋部１０２は閉じた形状を有する凹部１２０を含む。本体部１０４は、蓋部１０２の凹部１２０に嵌め込まれる形状を有する嵌め込み部１４０を含む。蓋部１０２および本体部１０４はパッキン１０６を介して組み合わされることによって、密閉された筐体１００を構成する。
【００２７】
パッキン１０６はシリコーン（ケイ素樹脂）を成型することによって製造されており、弾性および伸縮性をもつ。パッキン１０６は、本体部１０４の嵌め込み部１４０が蓋部１０２の凹部１２０に嵌め込まれる場合に凹部１２０の内周面１２２に対向する嵌め込み部１４０の外周面１４２に、嵌め込み部１４０を囲むように装着される環状の形状を有する。ここで、パッキン１０６の内周は、パッキン１０６を伸ばせば嵌め込み部１４０に嵌め込まれる程度に、嵌め込み部１４０の外周より短い。また、パッキン１０６の外周は、凹部１２０の内周面１２２により押圧され変形することで凹部１２０に嵌め込まれる程度に、凹部１２０の内周より長い。
【００２８】
図４は、パッキン１０６を示す断面図である。図４に示すように、パッキン１０６は密着部１６０、湾曲部１６２および突起部１６８を含む。
【００２９】
密着部１６０は、パッキン１０６の環状形状の全周に渡って嵌め込み部１４０の外周面１４２に密着する。湾曲部１６２は、嵌め込み部１４０が凹部１２０に嵌め込まれる際に凹部１２０の内周面１２２により変形されるよう、パッキン１０６の環状形状の全周に渡って嵌め込み部１４０の外周面１４２から離れる方向に湾曲する。
【００３０】
パッキン１０６において、嵌め込み部１４０が凹部１２０に嵌め込まれた状態で湾曲部表面１６４と対向する密着部表面１６６は、パッキン１０６の環状形状の全周に渡って突起部１６８を含む。なお、便宜上密着部１６０、湾曲部１６２、および突起部１６８は破線により区切られているが物理的に別の部材ではなく、密着部１６０、湾曲部１６２および突起部１６８は一体で成型される。
【００３１】
そして突起部１６８と、湾曲部表面１６４と、は対向しない。すなわち、湾曲部１６２の、嵌め込み部１４０の嵌め込み方向の長さｄ１は、密着部１６０と湾曲部１６２との境界と、突起部１６８と、の間の距離ｄ０より短い。嵌め込み部１４０が凹部１２０に嵌め込まれると、突起部１６８と、湾曲部表面１６４と、は互いに対向し、密着部１６０および湾曲部１６２に加え突起部１６８も凹部１２０の内周面１２２によって押圧されて潰される。こうしてパッキン１０６の潰し量が増やされることで、パッキン１０６による反発力が強められる。
【００３２】
次に、本発明に係る筐体１００のシーリング構造を構成する手順を説明する。まず、パッキン１０６が嵌め込み部１４０に装着される。パッキン１０６の内周は嵌め込み部１４０の外周よりも短いため、パッキン１０６は一旦伸ばされ、元の長さに戻されながら嵌め込み部１４０を囲むように装着される。嵌め込み部１４０には段差１４４が設けられており、パッキン１０６はこの段差に合わせて装着される（図２参照）。
【００３３】
続いて、蓋部１０２の凹部１２０に本体部１０４の嵌め込み部１４０およびパッキン１０６が嵌め込まれる。パッキン１０６の外周は凹部１２０の内周よりも長いため、嵌め込み部１４０が凹部１２０に嵌め込まれる際に、湾曲部１６２は凹部１２０の内周面１２２により、嵌め込み部１４０の嵌め込み方向の逆方向に湾曲するよう変形される。その際、湾曲部１６２と凹部１２０の内周面１２２との摩擦力によるパッキン１０６のずれは段差１４４により防がれる。そして、嵌め込み部１４０が凹部１２０に嵌め込まれた場合、湾曲部１６２は嵌め込み部１４０の嵌め込み方向に対し逆方向に折り返された形状を有し、湾曲部１６２と、密着部１６０の突起部１６８と、が接する。
【００３４】
パッキン１０６は凹部１２０の内周面１２２と嵌め込み部１４０の外周面１４２との間で押圧されて潰され、パッキン１０６自身の反発力により凹部１２０の内周面１２２に密着し、筐体１００は密閉される。
【００３５】
以上の構成によれば、そして、パッキン１０６の反発力は凹部１２０の内周面１２２に対し、嵌め込み部１４０の外周面１４２から凹部１２０の内周面１２２に向かう方向（嵌め込み部１４０の嵌め込み方向に対し垂直方向）に作用するためパッキン１０６の反発力によって嵌め込み部１４０が凹部１２０から外れることがなく、パッキン１０６の反発力を抑えるネジ締めが不要である。従って、ネジ締めを用いないシーリング構造が実現される。
【００３６】
次にパッキン１０６の成型方法を説明する。図５は、パッキン１０６およびパッキン１０６を成型する金型５００，５０２，５０４を示す断面図である。
【００３７】
パッキン１０６は、３つの金型５００，５０２，５０４により成型される。成型後、まず金型５００がＡの方向に外され、続いて金型５０２がＢの方向に外される。最後に金型５０４がＣの方向に外されて、パッキン１０６が取り出される。金型５０４は無理抜きにより湾曲部１６２を変形させながら外される。
【００３８】
ここで、突起部１６８と、湾曲部表面１６４と、は対向しない。すなわち、湾曲部１６２の、嵌め込み部１２０の嵌め込み方向の長さｄ１は、密着部１６０と湾曲部１６２との境界と、突起部１６８と、の間の距離ｄ０より短い。従って突起部１６８は金型５０２，５０４により成型できる。
【００３９】
なお、実際にはパッキン１０６は環状の形状を有するため、金型５０４は、環状の形状に沿って更に複数の金型に分割される。
【００４０】
なお、本発明は上記実施の形態に限定されるものではなく、本発明の趣旨を逸脱しない範囲で種々変更可能であることはいうまでもない。
【００４１】
例えば、上記実施の形態において、パッキン１０６が凹部１２０の内周面１２２により変形される湾曲部１６２を含む構成が示されたが、弾性をもつパッキン１０６が凹部１２０の内周面１２２により押圧されることにより凹部１２０の内周面１２２と接する構成であれば他の構成でもよい。
【００４２】
例えば、パッキン１０６において突起部１６８がなく、嵌め込み部１４０が凹部１２０に嵌め込まれた状態で、折り返された湾曲部１６２と、密着部１６０と、が直接接する構成でもよい。また、突起部１６８が湾曲部表面１６４に、パッキン１０６の環状形状の全周に渡って設けられてもよいし、密着部表面１６６と湾曲部表面１６４の両方に設けられてもよい。
【００４３】
また例えば、パッキン１０６の断面を、嵌め込み部１４０の外周面１４２に接する側を平面とする半円形の断面を持つ形状とし、円形の形状を有する側が凹部１２０の内周面１２２により押圧される構成としてもよい。
【００４４】
また、上記実施の形態において、湾曲部１６２が密着部１６０に覆い被さる程度に湾曲している構成（湾曲部１６２と密着部１６０との間の角度が９０度より小さい構成）が示されたが、湾曲部１６２と密着部１６０との間の角度は、湾曲部１６２が凹部１２０の内周面１２２により変形されるような角度であればよく、例えば湾曲部１６２と密着部１６０との間が９０度である構成（嵌め込み部１４０に装着された場合に、湾曲部１６２が嵌め込み部１４０の外周面１４２に対し直立する構成）でもよい。
【００４５】
また、上記実施の形態において、パッキン１０６の成型時を考慮し、突起部１６８と、湾曲部表面１６４と、が対向しないパッキン１０６について説明したが、湾曲部１６２の、嵌め込み部１４０の嵌め込み方向の長さｄ１は、密着部１６０と湾曲部１６２との境界と、突起部１６８と、の間の距離ｄ０より長くし、突起部１６８と、湾曲部１６４と、が対向する構成としてもよい。
【００４６】
また、上記実施の形態において、嵌め込み部１４０には、パッキン１０６を装着される箇所の下部に段差１４４が設けられているが、パッキン１０６が装着される箇所の上部にさらに段差を設け、パッキン１０６が装着される箇所を凹部とすることで、パッキン１０６が嵌め込み部１４０から、より外れにくい構成としてもよい。
【００４７】
また、上記実施の形態において、パッキン１０６は、３つの金型を用いて成型されたが、これに限られるものではない。つまり、上記実施の形態と異なるパーティングラインを有する、複数の金型を用いても、パッキン１０６を成型することが可能である。
【００４８】
また、上記実施の形態において、パッキン１０６の材質はシリコーンとしたが、弾性を有すれば他の材質でもよく、例えばゴム（エストラマー等）や、発泡体等でもよい。蓋部１０２および本体部１０４の材質はプラスチックとしたが、パッキン１０６を変形しうる強度を有すれば他の材質でもよく、例えばステンレス等の金属でもよい。
【００４９】
また、上記実施の形態において、本発明に係る筐体を有する無線通信装置として、基地局装置の例を示したが、他の通信装置に応用してもよく、さらに他の電子機器に用いてもよい。また、食品容器など密閉が求められる他の容器に応用してもよい。
【符号の説明】
【００５０】
１００  筐体、１０２  蓋部、１０４  本体部、１０６  パッキン、１２０  凹部、１２２  内周面、１４０  嵌め込み部、１４２  外周面、１４４  段差、１６０  密着部、１６２  湾曲部、１６４  湾曲部表面、１６６  密着部表面、１６８  突起部、５００，５０２，５０４  金型。
【図１】
2010196802.tif 000003
【図２】
2010196802.tif 000004
【図３】
2010196802.tif 000005
【図４】
2010196802.tif 000006
【図５】
2010196802.tif 000007